(57)【特許請求の範囲】
【請求項１】
複数のスイッチ取付孔が並設されたスイッチパネルの前面に取り付けられるスイッチパネルカバーにおいて、
前記スイッチ取付孔間の前面及びスイッチ取付孔の外周の前面を一体に隠蔽するカバー部と、該カバー部の背面側に設けられ、スイッチ取付孔の内側部に係合して前記カバー部を前記隠蔽位置に支持する少なくとも一つの係合部とを備え、
前記係合部は、上下方向位置決め部、前後方向位置決め部又は左右方向位置決め部であり、
前記左右方向位置決め部は、カバー部の両端部から後方へ延びるように設けられているコネクタホルダの外側面に設けられ、左右方向へ突出し、スイッチパネルのスイッチ取付孔を形成する内側部としての内側面に係合する左右方向位置決め用リブであることを特徴とするスイッチパネルカバー。
【請求項２】
前記上下方向位置決め部は、カバー部の背面から上下方向に延び、スイッチパネルのスイッチ取付孔を形成する内側部としての内壁面に係合する上下方向位置決め用リブであることを特徴とする請求項１に記載のスイッチパネルカバー。
【請求項３】
前記前後方向位置決め部は、カバー部の背面より後方へ延びかつ上下方向へ撓み、スイッチパネルのスイッチ取付孔を形成する内側部としての後端部に係合する前後方向位置決め用突起であることを特徴とする請求項１に記載のスイッチパネルカバー。
【請求項４】
前記コネクタホルダの後端部には、後端側ほど縮幅するテーパ部が形成されていることを特徴とする請求項１に記載のスイッチパネルカバー。
【発明の詳細な説明】
【技術分野】
【０００１】
本発明は、自動車室内のスイッチパネルのスイッチ非装着時に用いられるスイッチパネルカバーに関する。
【背景技術】
【０００２】
一般に、自動車室内のインストルメントパネルのスイッチパネルには複数のスイッチ取付孔が設けられ、その背面側にはコネクタホルダが後方へ向けて突出形成され、コネクタが接続されるようになっている。複数のスイッチ取付孔には、それぞれ空調モードの切替スイッチ、オーディオ装置の切替スイッチ等の複数のスイッチが取付けられるようになっている。これらのスイッチの装着又は非装着は、高級仕様車、一般仕様車、エコノミー車等のグレードにより種々設定される。このように、車両のグレードが変わるとそれに応じて搭載される空調機器やオーディオ装置の種類や機能が変わり、例えば高級仕様車に装着されるスイッチが、一般仕様車やエコノミー車には装着されない場合がある。斯かるスイッチの非装着時には、図６に示すように、各スイッチ取付部にスイッチ取付孔を覆うカバー１３がスイッチの数だけ取付けられるようになっている。該カバー１３の背面側にはコネクタホルダ２９が突設され、コネクタ２８が収容されて接続されるようになっている。
【０００３】
この種の車両用スイッチパネルが特許文献１に開示されている。この車両用スイッチパネルは、基体部に取付けられる複数の溝型ガイドと、基体部に取付けられる意匠板の開口を塞ぐカバーホールに取付けられ、該カバーホールを基体部に固定する複数のリブとを備えている。前記溝型ガイドは、対向する２つのフランジと、各フランジを接続するウェブとを有し、第１及び第２の溝型ガイドは各ウェブ側が対向し、第３の溝型ガイドはウェブが第１及び第２の溝型ガイドのフランジと平行になるように配置されている。一方、カバーホールの各リブは、溝型ガイドのフランジ間に係入されるとともに、端部には圧潰可能な突部を有している。
【０００４】
そして、カバーホールをスイッチハウジングに取付ける場合には、カバーホールのリブを溝型ガイドのフランジ間に係入し、リブの突部を潰すようにしてカバーホールをスイッチハウジングに組付ける。この場合、カバーホールのリブが溝型ガイドのフランジ間に隙間なく取付けられ、ガタつきが抑制されるようになっている。
【先行技術文献】
【特許文献】
【０００５】
【特許文献１】特開２００９−１０７３６９号公報
【発明の概要】
【発明が解決しようとする課題】
【０００６】
ところで、スイッチパネルのスイッチ取付孔にスイッチが全く取付けられない場合には、各スイッチ取付部にカバーが取付けられ、スイッチ取付孔が塞がれるようになっている。前記特許文献１に記載されている従来構成においても、各スイッチ取付部にカバーホールが取付けられる。この場合、スイッチパネルには対向する２つのフランジと各フランジを接続するウェブとにより構成された３つの溝型ガイドを設け、それらの溝型ガイドのフランジ間にスイッチパネルカバーのリブを係入してスイッチパネルカバーをスイッチパネルに取付けなければならない。そのため、スイッチパネルの構成が複雑になるとともに、スイッチパネルの構成に合せてスイッチパネルカバーの構成を設定する必要がある。従って、スイッチパネルカバーをスイッチパネルに組付けるための構成が簡易で、組付け時に作業性の良いスイッチパネルカバーが求められる。
【０００７】
そこで、本発明の目的とするところは、組付構成が簡易で、組付作業性に優れるスイッチパネルカバーを提供することにある。
【課題を解決するための手段】
【０００８】
上記目的を達成するために、請求項１に記載の発明のスイッチパネルカバーは、複数のスイッチ取付孔が並設されたスイッチパネルの前面に取り付けられるスイッチパネルカバーにおいて、前記スイッチ取付孔間の前面及びスイッチ取付孔の外周の前面を一体に隠蔽するカバー部と、該カバー部の背面側に設けられ、スイッチ取付孔の内側部に係合して前記カバー部を前記隠蔽位置に支持する少なくとも一つの係合部とを備え、前記係合部は、上下方向位置決め部、前後方向位置決め部又は左右方向位置決め部であり、前記左右方向位置決め部は、カバー部の両端部から後方へ延びるように設けられているコネクタホルダの外側面に設けられ、左右方向へ突出し、スイッチパネルのスイッチ取付孔を形成する内側部としての内側面に係合する左右方向位置決め用リブであることを特徴とする。
【００１０】
請求項２に記載の発明のスイッチパネルカバーは、請求項１に係る発明において、前記上下方向位置決め部は、カバー部の背面から上下方向に延び、スイッチパネルのスイッチ取付孔を形成する内側部としての内壁面に係合する上下方向位置決め用リブであることを特徴とする。
【００１１】
請求項３に記載の発明のスイッチパネルカバーは、請求項１に係る発明において、前記前後方向位置決め部は、カバー部の背面より後方へ延びかつ上下方向へ撓み、スイッチパネルのスイッチ取付孔を形成する内側部としての後端部に係合する前後方向位置決め用突起であることを特徴とする。
【００１４】
請求項４に記載の発明のスイッチパネルカバーは、請求項１に係る発明において、前記コネクタホルダの後端部には、後端側ほど縮幅するテーパ部が形成されていることを特徴とする。
【発明の効果】
【００１５】
本発明によれば、次のような効果を発揮することができる。
本発明のスイッチパネルカバーは、スイッチ取付孔間の前面及びスイッチ取付孔の外周の前面を一体に隠蔽するカバー部と、該カバー部の背面側に設けられ、スイッチ取付孔の内側部に係合してカバー部を隠蔽位置に支持する少なくとも一つの係合部とを備えている。このため、カバー部をスイッチパネルのスイッチ取付孔に嵌め込んで係合部をスイッチ取付孔の内側部に係合させることにより、スイッチパネルカバーをスイッチパネルに良好な外観で、かつ簡単に組付けることができる。
【００１６】
従って、本発明のスイッチパネルカバーによれば、組付構成が簡易で、組付作業性に優れるという効果を奏する。
【図面の簡単な説明】
【００１７】
【図１】本発明の実施形態におけるスイッチパネルカバーを背面側から見た状態を示す斜視図。
【図２】スイッチパネルカバーを前面側から見た状態を示す斜視図。
【図３】図１の３−３線における概略断面図。
【図４】スイッチパネルカバーの概略横断面図。
【図５】スイッチパネルカバーを示す正面図。
【図６】従来のコネクタホルダを有するスイッチパネルカバーを示す斜視図。
【発明を実施するための形態】
【００１８】
以下、本発明を具体化した実施形態を図１〜図５に基づいて詳細に説明する。
図５に示すように、自動車の車両室内におけるインストルメントパネル１１のスイッチパネル１２には、複数（本実施形態では５個）のスイッチ取付孔１５が設けられている。このスイッチ取付孔１５には、空調モードの切替スイッチ、オーディオ装置の切替スイッチ等のスイッチが装着されるようになっている。これらのスイッチは車両のグレードにより装着されたり、装着されなかったりするが、スイッチの非装着状態では、図２及び図３に示すように１個のスイッチパネルカバー１４がスイッチパネル１２のスイッチ取付孔１５を覆うようにしてスイッチパネル１２に支持されるようになっている。
【００１９】
そこで、以下に該スイッチパネルカバー１４の構成を詳細に説明する。
板状のカバー部１６は、長方形状をなし、前述の図５に示す複数のスイッチ取付孔１５間の前面１７及びスイッチ取付孔１５の外周の前面１８を一体に隠蔽するように構成されている。また、図１〜図３に示すように、複数（実施形態では３）の係合部２０は、前記カバー部１６の背面側に設けられ、スイッチパネル１２に対して係合してカバー部１６をスイッチパネル１２に支持するようになっている。
【００２０】
図１に示すように、前記各係合部２０には、カバー部１６の両側端部及び中央部においてその背面より後方へ延びる係合用突出部１９が設けられている。各係合用突出部１９は、上下位置において断面横コの字状に形成され、上方向に延びる一対の上方向位置決め用リブ２１ａ及び下方向に延びる下方向位置決め用リブ２１ｂよりなる上下方向位置決め用リブ２１と、それらの間を連結する連結片２２とを有している。カバー部１６の両側端部及び中央部に設けられた上下各一対の上下方向位置決め用リブ２１により上下方向位置決め部２３が構成されている。
【００２１】
また、係合用突出部１９の上下位置には後方へ延びる一対の前後方向位置決め用突起２４が片持ち支持され、根元を中心にして上下方向に撓むようになっている。上部位置の前後方向位置決め用突起２４ａの上面には上に凸の断面山型状をなす上部係合突起２５ａが設けられ、下部位置の前後方向位置決め用突起２４ｂの下面には下に凸の断面山型状をなす下部係合突起２５ｂが設けられている。カバー部１６の両側端部及び中央部に設けられた上下各一対の前後方向位置決め用突起２４により前後方向位置決め部２６が構成されている。
【００２２】
そして、図３に示すように、スイッチパネルカバー１４の係合用突出部１９をスイッチパネル１２のスイッチ取付孔１５に挿入したとき、各一対の上方向位置決め用リブ２１ａがスイッチパネル１２の内側部としての上部内壁面１２ａに係合するようになっている。同じく、下方向位置決め用リブ２１ｂがスイッチパネル１２の内側部としての下部内壁面１２ｂに係合するようになっている。このようにして、スイッチパネルカバー１４の上下方向の位置決めがなされるようになっている。さらに、スイッチパネルカバー１４の係合用突出部１９をスイッチパネル１２のスイッチ取付孔１５に挿入したとき、上部係合突起２５ａ及び下部係合突起２５ｂがスイッチパネル１２の内側部としての上部後端部１２ｃ及び下部後端部１２ｄにそれぞれ係合してスイッチパネルカバー１４の前後方向の位置決めがなされるようになっている。
【００２３】
図１に示すように、前記カバー部１６の両側端部に位置する係合用突出部１９には、ケーブル２７が接続されたコネクタ２８を収容する四角箱状のコネクタホルダ２９がそれぞれ突出形成されている。これらのコネクタホルダ２９の両外側面には、左右方向へ突出する左右方向位置決め部３０としての左右方向位置決め用リブ３１が上下位置に一対設けられている。この左右方向位置決め用リブ３１はそれぞれ前後方向に延びるように細長く形成されている。そして、図４に示すように、スイッチパネルカバー１４の係合用突出部１９がスイッチパネル１２のスイッチ取付孔１５に挿入されるとき、スイッチパネル１２の両端におけるスイッチ取付孔１５の内側部としての内側面１２ｅに係合して圧潰され、スイッチパネルカバー１４の左右方向の位置決めがなされるように構成されている。
【００２４】
前記係合部２０は、上下方向位置決め部２３、前後方向位置決め部２６及び左右方向位置決め部３０により構成され、スイッチパネルカバー１４がスイッチパネル１２に対して上下、前後及び左右の三次元方向に位置決めされるようになっている。
【００２５】
前記コネクタホルダ２９の後端部の上下位置には、後端側ほど縮幅して尖鋭をなす一対のテーパ部３２が形成され、カバー部１６両側端部のコネクタホルダ２９をスイッチパネル１２のスイッチ取付孔１５に円滑に挿入できるようになっている。
【００２６】
次に、上記のように構成された本実施形態のスイッチパネルカバー１４について作用を説明する。
さて、本実施形態のスイッチパネルカバー１４においては、各係合部２０をスイッチ取付孔１５内に嵌合することにより、一つのカバー部１６が複数のスイッチ取付孔１５間の前面１７及びスイッチ取付孔１５の外周の前面１８の全体を一体に覆うように構成されている。このため、スイッチが取り付けられていないスイッチパネルカバー１４の外観を向上できるとともに、一つの部品としてのカバー部１６をスイッチパネル１２に装着することにより、外観品質の良好なスイッチパネルカバー１４を速やかに組付けることができる。
【００２７】
また、スイッチパネルカバー１４の係合用突出部１９をスイッチパネル１２に装着するための係合部２０として、上方向位置決め用リブ２１ａ及び下方向位置決め用リブ２１ｂよりなる上下方向位置決め用リブ２１が設けられている。このため、図３に示すように、スイッチパネルカバー１４の係合用突出部１９をスイッチパネル１２のスイッチ取付孔１５に挿入したとき、上方向位置決め用リブ２１ａがスイッチパネル１２のスイッチ取付孔１５を形成する上部内壁面１２ａに係合する。同時に、下方向位置決め用リブ２１ｂがスイッチパネル１２のスイッチ取付孔１５を形成する下部内壁面１２ｂに係合し、スイッチパネルカバー１４の上下位置が決定される。
【００２８】
さらに、前記係合部２０として、上部係合突起２５ａ及び下部係合突起２５ｂを有する前後方向位置決め用突起２４が設けられている。従って、図３に示すように、スイッチパネルカバー１４の係合用突出部１９をスイッチパネル１２のスイッチ取付孔１５に挿入したとき、上部係合突起２５ａがスイッチパネル１２のスイッチ取付孔１５を形成する上部後端部１２ｃに係合する。同時に、下部係合突起２５ｂがスイッチパネル１２のスイッチ取付孔１５を形成する下部後端部１２ｄに係合し、スイッチパネルカバー１４の前後位置が決定される。
【００２９】
加えて、係合部２０として、上下一対の左右方向位置決め用リブ３１が設けられている。そのため、図４に示すように、スイッチパネルカバー１４の係合用突出部１９をスイッチパネル１２のスイッチ取付孔１５に挿入したとき、左右両端部の左右方向位置決め用リブ３１が潰されながらスイッチパネル１２の両端のスイッチ取付孔１５の内側面１２ｅに係合し、スイッチパネルカバー１４の左右位置が決定される。
【００３０】
その結果、スイッチパネル１２のスイッチ取付孔１５に挿着されたスイッチパネルカバー１４は、上下位置、前後位置及び左右位置の三次元方向の位置が同時に所定位置に設定される。従って、スイッチパネルカバー１４をスイッチパネル１２に対して簡単に組付けることができる。
【００３１】
以上の実施形態により発揮される効果を以下にまとめて説明する。
（１）この実施形態のスイッチパネルカバー１４は、スイッチ取付孔１５間の前面１７及びスイッチ取付孔の外周の前面１８を一体に隠蔽するカバー部１６と、該カバー部１６の背面側に設けられ、スイッチ取付孔１５の内側部に係合してカバー部１６を隠蔽位置に支持する複数の係合部２０とを備えている。このため、カバー部１６をスイッチパネル１２のスイッチ取付孔１５に嵌め込んで係合部２０をスイッチ取付孔１５の内側部に係合させることにより、スイッチが取り付けられていないスイッチパネル１２の外観を向上できるとともに、スイッチパネルカバー１４をスイッチパネル１２に簡単に組付けることができる。
【００３２】
従って、本実施形態のスイッチパネルカバー１４によれば、組付構成が簡易で、組付作業性に優れるという効果を発揮することができる。
（２）前記係合部２０は、上下方向位置決め部２３、前後方向位置決め部２６及び左右方向位置決め部３０により構成されている。このため、これらの係合部２０により、スイッチパネルカバー１４をスイッチパネル１２に対して上下方向、前後方向及び左右方向に容易かつ正確に位置決めすることができる。
（３）前記上下方向位置決め部２３は、カバー部１６の背面から上下方向に延び、スイッチパネル１２のスイッチ取付孔１５を形成する内壁面１２ａ、１２ｂに係合する上下方向位置決め用リブ２１により構成されている。従って、スイッチパネルカバー１４をスイッチパネル１２のスイッチ取付孔１５に挿入し、上下方向位置決め用リブ２１をスイッチパネル１２の内壁面１２ａ、１２ｂに係合させることにより、スイッチパネルカバー１４の上下位置を簡単に設定することができる。
（４）前記前後方向位置決め部２６は、カバー部１６の背面より後方へ延びかつ上下方向へ撓み、スイッチパネル１２のスイッチ取付孔１５を形成する後端部１２ｃ、１２ｄに係合する前後方向位置決め用突起２４により構成されている。そのため、スイッチパネルカバー１４をスイッチパネル１２のスイッチ取付孔１５に挿入し、前後方向位置決め用突起２４をスイッチパネル１２の後端部１２ｃ、１２ｄに係合させることにより、スイッチパネルカバー１４の前後位置を容易に設定することができる。
（５）前記左右方向位置決め部３０は、カバー部１６から後方へ延びるコネクタホルダ２９の外側面に設けられ、左右方向へ突出し、スイッチパネル１２のスイッチ取付孔１５の内側面１２ｅに係合する左右方向位置決め用リブ３１により構成されている。このため、スイッチパネルカバー１４をスイッチパネル１２のスイッチ取付孔１５に挿入し、左右方向位置決め用リブ３１をスイッチパネル１２の内側面１２ｅに係合させることにより、スイッチパネルカバー１４の左右位置を簡易に設定することができる。
（６）前記コネクタホルダ２９は、カバー部１６の両端部から後方へ延びるように設けられている。従って、カバー部１６の両端部の２箇所のコネクタホルダ２９にケーブル２７が接続されているが、使用されない、いわゆる付け捨てのコネクタ２８を収容、保持しておくことができる。従って、コネクタ２８が邪魔にならず、コネクタ２８の振動や振動による異音を防止できる。
（７）前記コネクタホルダ２９の後端部には、後端側ほど縮幅する先鋭状のテーパ部３２が形成されている。そのため、スイッチパネルカバー１４をスイッチパネル１２のスイッチ取付孔１５に挿入するとき、コネクタホルダ２９がスイッチ取付孔１５の開口縁に接触しても円滑に挿入することができる。
（８）前記係合部２０は、カバー部１６の両側端部に加えて、中央部にも上下方向位置決め部２３及び前後方向位置決め部２６が設けられている。このため、カバー部１６の中央部付近における撓み等の変形を防止することができる。
【００３３】
なお、前記各実施形態を次のように変更して実施することも可能である。
・  上下方向位置決め部２３、前後方向位置決め部２６及び左右方向位置決め部３０のうち、いずれか一つを選択し、その他を省略することも可能である。
【００３４】
・  前記上下方向位置決め用リブ２１の上方向位置決め用リブ２１ａ及び下方向位置決め用リブ２１ｂを、それぞれ一つずつで構成したり、三つ以上で構成したりすることも可能である。
【００３５】
・  前記上部位置の前後方向位置決め用突起２４ａ及び下部位置の前後方向位置決め用突起２４ｂのいずれか一方を省略することもできる。
・  前記カバー部１６の左右両端部に設けられた上下一対の左右方向位置決め用リブ３１のうち、いずれか一方を省略することもできる。
【００３６】
・  前記コネクタホルダ２９を、カバー部１６の左右両端部ではなく、中間部に設けられた係合用突出部１９に一体的に設けることができる。
【符号の説明】
【００３７】
１２…スイッチパネル、１２ａ…内側部としての上部内壁面、１２ｂ…内側部としての下部内壁面、１２ｃ…内側部としての上部後端部、１２ｄ…内側部としての下部後端部、１２ｅ…内側部としての内側面、１４…スイッチパネルカバー、１５…スイッチ取付孔、１６…カバー部、１７…スイッチ取付孔間の前面、１８…スイッチ取付孔の外周の前面、２０…係合部、２１…上下方向位置決め用リブ、２３…上下方向位置決め部、２４…前後方向位置決め用突起、２４ａ…上部位置の前後方向位置決め用突起、２４ｂ…下部位置の前後方向位置決め用突起、２６…前後方向位置決め部、２９…コネクタホルダ、３０…左右方向位置決め部、３１…左右方向位置決め用リブ、３２…テーパ部。
【図１】
0005700674.tif 000002
【図２】
0005700674.tif 000003
【図３】
0005700674.tif 000004
【図４】
0005700674.tif 000005
【図５】
0005700674.tif 000006
【図６】
0005700674.tif 000007